(57)【特許請求の範囲】
【請求項１】
植物育成用組立ハウスの地面上に設置される壁部材の上に固設される屋根部材であって、
屋根の骨組部材として一端部から他端部へ向けて長手方向に凸曲状で延在しており且つ前記長手方向に沿って前記一端部から前記他端部まで延在した非貫通の溝部を有する、少なくとも２本のバーと、
前記長手方向に沿って対向しつつ延在する第１側面及び第２側面の各々の近傍の裏面上に、前記長手方向に直交する短手方向に沿って対向しつつ延在する第３側面から第４側面まで前記長手方向に沿って延在しつつ固設された第１突起部及び第２突起部を有する少なくとも１枚のフィルムと
を備えており、
前記フィルムの前記第１突起部は前記２本のバーの一方のバーの前記溝部に着脱可能に嵌合されており、
前記フィルムの前記第２突起部は前記２本のバーの他方のバーの前記溝部に着脱可能に嵌合されており、
前記２本のバーの各々が有する前記溝部は、
前記一端部から前記他端部へ向けて視認した場合の縦断面形状として、
１）前記フィルムの前記第１突起部及び前記第２突起部の内の対応する突起部を前記溝部の内部に挿入するための挿入口を成す、互いに前記短手方向に関して対向する右側上端部分及び左側上端部分と、
２）前記右側上端部分と前記左側上端部分とを繋ぐ凹状に滑らかに湾曲した湾曲部分と
を有しており、
前記右側上端部分は、前記挿入口を成す部分から前記湾曲部分との連結部分までに亘って、前記溝部の前記内部に向けて滑らかに凸状に湾曲した形状を有しており、
前記左側上端部分は、前記挿入口を成す部分から前記溝部の前記内部に向けて下方へ滑らかに凸状に湾曲した上で当該凸状湾曲の末端部分から前記湾曲部分との連結部分に至るまで直上する形状を有しており、
前記フィルムの前記第１突起部及び前記第２突起部の各々は、
前記第３側面から前記第４側面へ向けて視認した場合の縦断面形状として、
ａ）前記２本のバーの内で嵌合対象のバーの前記溝部の前記挿入口を成す前記右側上端部分の形状に対応する形状を成す第１部分と、
ｂ）前記２本のバーの内で嵌合対象のバーの前記溝部の前記挿入口を成す前記左側上端部分の形状に対応する形状を成す第２部分と、
ｃ）前記２本のバーの内で嵌合対象のバーの前記溝部の前記湾曲部分の形状に対応する形状を成す第３部分と
を有する
ことを特徴とする、植物育成用組立ハウスの屋根部材。
【請求項２】
植物育成用組立ハウスの地面上に設置される壁部材の上に固設される屋根部材であって、
屋根の骨組部材として一端部から他端部へ向けて長手方向に凸曲状で延在しており且つ前記長手方向に沿って前記一端部から前記他端部まで延在した非貫通の溝部を有する、少なくとも２本のバーと、
前記長手方向に沿って対向しつつ延在する第１側面及び第２側面の各々の近傍の裏面上に、前記長手方向に直交する短手方向に沿って対向しつつ延在する第３側面から第４側面まで前記長手方向に沿って延在しつつ固設された第１突起部及び第２突起部を有する少なくとも１枚のフィルムと
を備えており、
前記フィルムの前記第１突起部は前記２本のバーの一方のバーの前記溝部に着脱可能に嵌合されており、
前記フィルムの前記第２突起部は前記２本のバーの他方のバーの前記溝部に着脱可能に嵌合されており、
角形状の枠を成す２本の横バー及び前記２本の横バーに直交する２本の縦バーを更に備え、
前記２本の横バーの各々は、その上面に設けられた、少なくとも２個の一対のタップ突出部を有しており、
前記２本のバーの各々は、
前記一端部に設けられた非貫通の一対のタップ受け溝部と、
前記他端部に設けられた非貫通の一対のタップ受け溝部と
を有しており、
前記２本の横バーの一方の前記２個の一対のタップ突出部の一方の一対のタップ突出部は、前記２本のバーの前記一方のバーの前記一端部の前記一対のタップ受け溝部に嵌合されており、
前記２本の横バーの一方の前記２個の一対のタップ突出部の他方の一対のタップ突出部は、前記２本のバーの前記他方のバーの前記一端部の前記一対のタップ受け溝部に嵌合されており、
前記２本の横バーの他方の前記２個の一対のタップ突出部の一方の一対のタップ突出部は、前記２本のバーの前記一方のバーの前記他端部の前記一対のタップ受け溝部に嵌合されており、
前記２本の横バーの他方の前記２個の一対のタップ突出部の他方の一対のタップ突出部は、前記２本のバーの前記他方のバーの前記他端部の前記一対のタップ受け溝部に嵌合されていることを特徴とする、植物育成用組立ハウスの屋根部材。
【請求項３】
植物育成用組立ハウスの地面上に設置される壁部材の上に固設される屋根部材であって、
屋根の骨組部材として一端部から他端部へ向けて長手方向に凸曲状で延在しており且つ前記長手方向に沿って前記一端部から前記他端部まで延在した非貫通の溝部を有する、少なくとも２本のバーと、
前記長手方向に沿って対向しつつ延在する第１側面及び第２側面の各々の近傍の裏面上に、前記長手方向に直交する短手方向に沿って対向しつつ延在する第３側面から第４側面まで前記長手方向に沿って延在しつつ固設された第１突起部及び第２突起部を有する少なくとも１枚のフィルムと
を備えており、
前記フィルムの前記第１突起部は前記２本のバーの一方のバーの前記溝部に着脱可能に嵌合されており、
前記フィルムの前記第２突起部は前記２本のバーの他方のバーの前記溝部に着脱可能に嵌合されており、
角形状の枠を成す２本の横バー及び前記２本の横バーに直交する２本の縦バーを更に備え、
前記２本の横バーの少なくとも一つは、その内部に配設された筒状のパイプを有することを特徴とする、植物育成用組立ハウスの屋根部材。
【請求項４】
植物育成用組立ハウスの地面上に設置される壁部材の上に固設される屋根部材であって、
屋根の骨組部材として一端部から他端部へ向けて長手方向に凸曲状で延在しており且つ前記長手方向に沿って前記一端部から前記他端部まで延在した非貫通の溝部を有する、少なくとも２本のバーと、
前記長手方向に沿って対向しつつ延在する第１側面及び第２側面の各々の近傍の裏面上に、前記長手方向に直交する短手方向に沿って対向しつつ延在する第３側面から第４側面まで前記長手方向に沿って延在しつつ固設された第１突起部及び第２突起部を有する少なくとも１枚のフィルムと
を備えており、
前記フィルムの前記第１突起部は前記２本のバーの一方のバーの前記溝部に着脱可能に嵌合されており、
前記フィルムの前記第２突起部は前記２本のバーの他方のバーの前記溝部に着脱可能に嵌合されており、
前記２本のバーの各々が有する前記溝部は、
互いに対向しつつ前記長手方向に沿って前記一端部から前記他端部まで延在した第１溝部及び第２溝部を備えることを特徴とする、植物育成用組立ハウスの屋根部材。
【請求項５】
請求項１乃至４の何れか１項に記載の前記植物育成用組立ハウスの屋根部材を備えることを特徴とする、植物育成用組立ハウス。
【請求項６】
請求項５に記載の植物育成用組立ハウスであって、
人の出入り可能口となる様にレールに沿って開閉自在な扉を更に備えることを特徴とする、植物育成用組立ハウス。
【発明の詳細な説明】
【技術分野】
【０００１】
本発明は、花、果実及び野菜等の高品質の植物を育成するための組立ハウス（以下「植物育成用組立ハウス」という。）に関し、特に、その屋根部材の構造に関する。
【背景技術】
【０００２】
昨今、企業が、照明等の生成・管理作業の制御を通じて野菜等の植物を高品質・低廉価格にて生成して市場に供給する事業を展開しており、その施設として、どの場所にも設置可能な植物育成用組立ハウスが注目されている。
【０００３】
その様な植物育成用組立ハウスの一例としては、屋根部材及びその下方に配置する壁部材を成す骨組部材が、縦方向に溝状の狭搾部及び拡開腔を設けた溝材で構成されており、当該溝材に合成樹脂より成る膜地を保持片にて挟持して屈曲させ、上記骨組部材の両端を地上に差し込む枠等で止着して固着することにより形成される部屋が、提案されている（特許文献１参照。）。但し、斯かる部屋には、構造上、人の出入り口が設けられてはいない。
【先行技術文献】
【特許文献】
【０００４】
【特許文献１】実公昭３３−９０４８号公報
【発明の概要】
【発明が解決しようとする課題】
【０００５】
ところで、日本の国土に於いては、台風の上陸に伴う強い風雨、発達した低気圧の接近・通過による雷・強風を伴う大雨或いは竜巻等という様に、気候が厳しい。
【０００６】
ところが、従来の植物育成用組立ハウスでは、例えば、屋根部材を成す一枚の大きな塩化ビニールシートが金属製の骨組みに固設されているので、台風等の嵐による強風によって、屋根部分の塩化ビニールシートが破けて破損し、或いは、飛ばされてしまうことが多々生じ得る。この場合には、屋根部分を補修するために、一般的には、その度毎に屋根部分全体を成す塩化ビニールシートを新たな物に交換する必要性があり、この様な屋根部分全体の取り替え作業は非効率であって且つ多大な時間を要する作業である。しかも、屋根部分全体を成す塩化ビニールシートをまるごと交換することになるので、屋根部分の補修費用も増大化する。この様な問題点に対しては、既述の特許文献１に係る考案は、同様に一枚の大きな塩化ビニールシートを屋根部材の膜地として用いる構成を採用しているため、解決手段には成りえない。しかも、特許文献１に係る上記考案は、上記膜地を溝在に嵌め込んで固設するためには、特殊構造を有する保持片が骨組み毎に別途に必要となり、且つ、斯かる保持片により挟持する際に膜地の表面が損傷しない様に注意を払う慎重な作業が必要であるために、組立作業が煩雑であって容易ではないという難点をも有する。仮に個別に塩化ビニールシートを骨組み間で張り付けることが出来たとしても、破損した又は喪失した箇所の塩化ビニールシートの補修作業は矢張り容易ではない。
【０００７】
又、従来の植物育成用組立ハウスに於いては、屋根部分より、ハウス内の空気を入れ替えるための通気を行えないという問題点がある。斯かる通気を行うためには、ハウスの屋根部分の下の壁部分の正面側又は側面側に設けられた扉を開放しておくことも考えらえる。しかしながら、この手法の採用は、一般的に扉は地面近くの低い位置にあるために十分満足な通気を行えないという問題点を生じさせると共に、特にネックとなるのは防犯上の問題点を伴うことである。又、高品質な植物を生成するためのハウス内の照明・空調ないしは温度及び湿度或いは肥料等の供給を制御可能な設備を具備したハウスの実現の必要性もある。
【０００８】
（本発明の目的）
そこで、本発明は、上記の現状を打破するために創作されたものであり、台風等による強風等によって屋根部分のシート又はフィルムが破損・喪失されても、短時間で簡単に屋根部分を補修することが可能で、通気を行うときの作業も容易であると共に、ハウス内の温度・湿度・供給ガス・照明等を容易に制御可能な植物育成用組立ハウスの屋根部、及び当該屋根部を備えた植物育成用組立ハウスを実現することを、その主目的としている。
【課題を解決するための手段】
【０００９】
本発明に係る植物育成用組立ハウスの屋根部材の主題は、植物育成用組立ハウスの地面上に設置される壁部材の上に固設される屋根部材であって、屋根の骨組部材として一端部から他端部へ向けて長手方向に凸曲状で延在しており且つ前記長手方向に沿って前記一端部から前記他端部まで延在した非貫通の溝部を有する、少なくとも２本のバーと、前記長手方向に対向しつつ延在する第１側面及び第２側面の各々の近傍の裏面上に、前記長手方向に直交する短手方向に沿って対向しつつ延在する第３側面から第４側面まで前記長手方向に沿って延在しつつ固設された第１突起部及び第２突起部を有する少なくとも１枚のフィルムを備えており、前記フィルムの前記第１突起部は前記２本のバーの一方のバーの前記溝部に着脱可能に嵌合されており、前記フィルムの前記第２突起部は前記２本のバーの他方のバーの前記溝部に着脱可能に嵌合されている点を、特徴とする。
【発明の効果】
【００１０】
本発明に係る植物育成用組立ハウスの屋根部材の主題によれば、台風等の嵐による強風・豪雨によりフィルムが破損し又は飛ばされてしまった場合でも、その損壊・喪失部分のフィルムを簡単且つ短時間で新たなフィルムに交換・配設することが出来、作業効率化の増大化を通じて、植物育成用組立ハウスの維持・管理費用の低減化を図ることが出来る。
【００１１】
又、本発明の上記主題によれば、屋根部材のフィルムを取りはずして植物育成用組立ハウス内の換気を屋根部材より行うことができ、換気終了後には当該フィルムを元の状態に簡単且つ短時間で戻すことが可能である。
【００１２】
以下、本発明の様々な具体化を、添付図面を基に、その効果・利点と共に、詳述する。
【図面の簡単な説明】
【００１３】
【図１】本発明の実施の形態１に係る植物育成用組立ハウスの屋根部材に於ける１本のバーの一端部側の構成を拡大化して模式的に示す斜視図である。
【図２】本発明の実施の形態１に係る植物育成用組立ハウスの屋根部材に於ける１枚のフィルムの構成を模式的に示す縦断面図である。
【図３】本発明の実施の形態１に係る１本のバーの一端部を対応する横バーの上面に取付けるための構成を模式的に拡大化して示す説明図である。
【図４】本発明の実施の形態１に係る複数枚のフィルムを対応する２個のバーに取付ける状態を模式的に示す斜視図である。
【図５】フィルムを有さない状態での屋根部材の骨組部材を模式的に示す斜視図である。
【図６】本発明の実施の形態１に係る植物育成用組立ハウスの屋根部材及び壁部材の構成を模式的に示す斜視図である。
【図７】本発明の実施の形態１に係る植物育成用組立ハウスの壁部材に配設されるレール上を開閉自在に移動可能な扉の構成を模式的に示す斜視図である。
【図８】本発明の実施の形態１に係る植物育成用組立ハウスの壁部材の正面側に配設される扉の構成を模式的に示す斜視図である。
【図９】本発明の実施の形態１に係る植物育成用組立ハウスの屋根部材の横バー又は中間バー内に配設される円筒状のパイプ部の構成を、一部を縦断面構造として示した斜視図である。
【図１０】本発明の実施の形態１に係る植物育成用組立ハウスの構成の一例を模式的に示す斜視図である。
【図１１】変形例を示す説明図である。
【図１２】変形例を示す説明図である。
【発明を実施するための形態】
【００１４】
（実施の形態１）
＜植物育成用組立ハウスの構成＞
【００１５】
本実施の形態に係る植物育成用組立ハウスは、大要、１）地面上に設置される壁部材Ｂと、２）壁部材Ｂの上に固設される屋根部材Ａとより成り、３）壁部材Ｂは、その正面部に取付けられた出入口部材Ｃを備える。本植物育成用組立ハウスに於ける屋根部材Ａの技術的本質は、後述する、１枚のフィルムと、当該１枚のフィルムがそこに取付けられる少なくとも２本のバーとを、備える点にある。以下、図面を参照しつつ、本植物育成用組立ハウスの各部材Ａ，Ｂ，Ｃの構成について記載する。
【００１６】
＜屋根部材Ａの構成＞
図１は、本実施の形態に係る植物育成用組立ハウスの屋根部材Ａに於ける１本のバー（開口バー）１の一端部１ＥＡ側の構成を拡大化して模式的に示す斜視図である。屋根部材Ａに於ける各バー１も図１の構成と同様の構成を有する。図１に於いて、バー１の一端部１ＥＡの面は縦断面に対応する面であり、便宜上、ハッチング表示されている。長手方向乃至は縦方向Ｘに関して対向し合う各バー１の他端部側の構成も、図１の一端部１ＥＡ側の構成と同一である（図示せず。）。
【００１７】
図１の１本のバー１は、本植物育成用組立ハウスの屋根の骨組部材の一つを成すものであり、一端部１ＥＡから他端部へ向けて長手方向Ｘに沿って凸曲状に折り曲げ可能に延在しており、しかも、長手方向Ｘに沿って一端部１ＥＡから上記他端部まで延在した非貫通の溝部１Ｒを有する。この溝部１Ｒは、凹部１ＣＰを介して対向延在する２個の第１溝部１ＲＡ及び第２溝部１ＲＢより成る。この２個の溝部１ＲＡ，１ＲＢの構成の採用により、一つのバー１の溝部１Ｒによって、互いに隣接し合う後述の２枚のフィルム（屋根を成す弾性シートである。）の後述する各突起部を遊嵌可能（着脱自在）として、当該２枚のフィルムを互いに隣り合う２個のバー１に１タッチ動作によって取付けることが可能となる。この１枚のフィルの取付け作業については、後述される。
【００１８】
更に、各バー１の一端部１ＥＡ及び他端部の各々には、長手方向Ｘに延在した、その各々が非貫通の開孔である溝状の一対のタップ雌（「タップ受け溝部」に該当。）が形成されている。１対のタップ雌は、第１タップ雌１ＨＡ及び第２タップ雌１ＨＢより成る。
【００１９】
各バー１は、後述される通り、屋根の骨組部材として長手方向Ｘに沿って凸曲状に折り曲げ可能となる様に、可撓性に富んだ材料より成る。
【００２０】
又、長手方向Ｘに延在する凹部１ＣＰは、後述される屋根の短手方向Ｙ（長手方向Ｘに直交する方向であり、幅ないしは横方向に該当。）に延在する補強用の横骨組部材と、その各交差部分に於いて、止め金具により互いに固設される。
【００２１】
図２は、本実施の形態に係る植物育成用組立ハウスの屋根部材に於ける各フィルム２の構成を模式的に示す縦断面図である。図２に於けるフィルム２の縦断面２ＣＳＳは、フィルム２の長手方向Ｘに関して対向し合う第３側面ＳＳ３及び第４側面ＳＳ４に対応している。図２に示される様に、フィルム２は、裏面２ＬＳの内で、短手方向Ｙに関して互いに対向し合う第１側面ＳＳ１及び第２側面ＳＳ２の各々の近傍領域２ＬＳＲ１，２ＬＳＲ２の上に、上記の第３側面ＳＳ３から第４側面ＳＳ４まで長手方向Ｘに沿って延在しつつ固設された第１突起部２ＰＡ及び第２突起部２ＰＢを有する。便宜上、第１突起部２ＰＡ及び第２突起部２ＰＢを突起部２Ｐと総称する。突起部２Ｐの各々の縦断面形状は、着脱自在となる様に遊嵌可能な形状として、バー１の第１溝部１ＲＡ及び第２溝部１ＲＢの縦断面形状に対応している。
【００２２】
フィルム２は、凸曲状に折り曲げ自在な薄膜の弾性シートであり、例えば、ナイロン、比較的に安価な合成樹脂である塩化ビニール、又は、透明で比較的に強度性に富んだアクリル等の合成樹脂より構成される。フィルム２の素材は、後程、詳述される。又、フィルム２の厚みは、例えば、０．２ｍｍ程度である。
【００２３】
尚、フィルム２の表面２ＵＳ上には、何らの物も配設されてはいない。
【００２４】
図３は、本実施の形態に係る１本のバー１の一端部１ＥＡを対応する後述の横バー３の上面３ＵＳに取付けるための構成を模式的に拡大化して示す説明図である。１本のバー１の他端部を対応する横バーの上面に取付けるための構成も、図３に示される構成と同一である。図３に於いて、隣り合う各バー１の一端部１ＥＡに対応する横バー３の上面３ＵＳの部分上には、２個の一対の突出板であるタップ雄（「タップ突出部」に該当。）が配設されている。尚、破線で示される様に、その一部が埋設されていても良い。各一対のタップ雄は、第１タップ雌１ＨＡに対応した第１タップ雄３ＰＡ、及び、第２タップ雌１ＨＢに対応した第２タップ雄３ＰＢより成る。そして、１本のバー１の一端部１ＥＡ及び他端部は、それぞれに対応する横バー３の上面３ＵＳの部分に対して、次の通りで、取付けられる。即ち、長手方向Ｘに関して対向する２本の横バー３の内の一方の横バー３に於ける、２個の一対のタップ雄の内の一方の一対のタップ雄３ＰＡ，３ＰＢは、対応する一方のバー１の一端部１ＥＡの一対のタップ雌１ＨＡ，１ＨＢにそれぞれ嵌合される。また、２本の横バーの上記一方の横バーの他方の一対のタップ雄３ＰＡ，３ＰＢは、２本のバー１の内の他方のバー１の一端部１ＥＡの一対のタップ雌１ＨＡ，１ＨＢに嵌合される。同様に、２本の横バー３の内の他方の横バー３に於ける、２個の一対のタップ雄の内の一方の一対のタップ雄３ＰＡ，３ＰＢは、上記一方のバー１の他端部の一対のタップ雌１ＨＡ，１ＨＢに嵌合される。更に、他方の横バー３の他方の一対のタップ雄３ＰＡ，３ＰＢは、上記他方のバー１の他端部の一対のタップ雌１ＨＡ，１ＨＢに嵌合される。
【００２５】
図４は、屋根部材Ａの製作に於いて、各フィルム２を対応する隣り合う２個のバー１に取付ける作業状態を模式的に示す斜視図である。各バー１の溝部１Ｒ（１ＲＡ，１ＲＢ）の形状は、対応するフィルム２の突起部２Ｐ（２ＰＡ，２ＰＢ）が溝部１Ｒから着脱自在と成る様に遊びを持って嵌合（遊嵌）されて収容された後に、対応する溝部１Ｒから飛び出さない様に嵌合出来る様に設定される。フィルム２の突起部２Ｐ又は／及びバー１の溝部１Ｒの素材に弾力性があれば、溝部１Ｒの入口部の形状が比較的に小さくても、突起部２Ｐの溝部１Ｒの内部への挿入は容易となるので、形状の設定は素材との関係を考慮する必要性もある。
【００２６】
ここで、フィルム２の素材の一例としては、塩化ビニール樹脂、ポリピレン樹脂、又はポリエチレン樹脂等の熱可塑性樹脂材が用いられるが、好ましくは、当該樹脂材にガラス繊維等の強化繊維が含有された樹脂材が用いられる。或いは、合成樹脂材以外の素材として、ゴム材がフィルム２の素材の一例として用いられる。
【００２７】
又、フィルム２の突起部２Ｐ（２ＰＡ，２ＰＢ）の形状としては、縦断面形状が略円形となる略球形状が好ましい。突起部２Ｐ（２ＰＡ，２ＰＢ）の素材例としては、合成樹脂材、ゴム材、金属材、又はセラミック材が、用いられる。
【００２８】
又、各バー１は可撓性のある素材より成り、その形状は、例えば、円筒又は角筒等の筒状であり、その素材としては、例えば、合成樹脂材、アルミニウム（合金を含んで良い。）等の比較的に柔らかい金属材、竹材、又は木材が、用いられる。
【００２９】
図４に於いて、一枚の弾性フィルム２を隣り合う２個の可撓性バー１に取付ける方法は、次の通りである。先ず、フィルム２の裏面右サイド上に設けられた可撓性のある第１突起部２ＰＡを隣り合う２個のバー１の図面の正面視に於いて右サイドに位置する一方のバー１の第２溝部１ＲＢ内に遊嵌し、続いて、フィルム２の裏面左サイド上に設けられた可撓性のある第２突起部２ＰＢを図面の正面視に於いて左サイドに位置する他方のバー１の第２溝部１ＲＡ内に遊嵌する。斯かる遊嵌作業の順序は逆でも良い。この様に、単に一枚のフィルム２の裏面両端側の２個の突起部２Ｐを隣り合うバーの対応する溝部１Ｒに嵌め込むワンタッチ作業だけで、簡単且つ短時間で、スムースに、フィルム２を隣り合う２個のバー１に取付けることが出来る。しかも、着脱自在に、２個の突起部２Ｐは溝部１Ｒに嵌め込まれている。各溝部１Ｒ内には、互いに接近して突出した部分が挿入側に設けられているので、嵌め込まれた各突起部２Ｐは溝部１Ｒの内部に密着しており、簡単には自然落下はしない。或いは、隣り合う２枚の弾性フィルム２のそれぞれの突起部２ＰＢ，２ＰＡを対応する１個の可撓性バー１の溝部１ＲＡ，１ＲＢに取付ける方法として、図４に示される抑えローラユニット２ＲＵを用いても良い。この場合、抑えローラユニット２ＲＵの一方のローラ部分２ＲＵＢは、第２突起部２ＰＢを第１溝部１ＲＡに遊嵌させるために用いられ、他方のローラ部分２ＲＵＡは、第１突起部２ＰＡを第２溝部１ＲＢに遊嵌させるために用いられる。即ち、各突起部２ＰＢ，２ＰＡの上方から対応する各ローラ部分２ＲＵＢ，２ＲＵＡで各突起部２ＰＢ，２ＰＡを抑えながら、ローラユニット２ＲＵを手前側に引いていくことで、各突起部を対応する溝部内へ遊嵌させる。
【００３０】
尚、屋根の両端の各々側に位置するフィルム２を隣り合う２個のバー１に取付けるには、図４の正面視に於いて左サイドに描かれている通り、当該フィルム２の第１突起部２ＰＡを対応するバー１の第１溝部１ＲＡ内に遊嵌することになる。この場合、左端のバー１の第２溝部１ＲＢ及び右端のバー１の第１溝部１ＲＡの各々には、フィルム２の突起部２Ｐは遊嵌されないこととなる。
【００３１】
図５は、フィルム１を有さない状態での屋根部材Ａの骨組部材を模式的に示す斜視図である。但し、図示の便宜上、各骨組部材の交差部分は実線で表示されている。図５に示される様に、屋根部材Ａの両端には、凸曲状のアーチバー５が離間して配設されている。既述の各バー１は可撓性のある素材より成るので、各バー１は、両アーチバー５間に於いて、アーチバー５と同様に凸曲状の形状に折り曲げられた上で、その一端部１ＥＡが一方の横バー３の上面３ＵＳ上に固設され且つその他端部が長手方向Ｘに関して対向する他方の横バー３の上面３ＵＳ上に固設されることで、アーチバー５に並設されたアーチ形状の骨組部材を構成する。そして、図４に示した様に、各隣り合う２個のバー１の溝部１Ｒ内に一枚の対応するフィルム２の突起部２Ｐを順次に嵌め込むことにより、各々の一枚のフィルム２は一対の隣り合う骨組としてのバー１に着脱自在に取付けられ、これらの連続配設された複数枚のフィルム２を介して、図６に示される壁部材Ｂの上方が閉塞される。その際、各フィルム２は、それが取付けられている隣り合うバー１のアーチ型の凸曲状に応じて、同様にアーチ型の凸曲状の形状を成しているので、風により屋根が吹き上げられる風荷重を低減化することが出来る。屋根部材Ａは、その様な屋根形状を備えるのである。
【００３２】
ここで、図６は、本実施の形態に係る植物育成用組立ハウスの屋根部材Ａ及び壁部材Ｂの構成を模式的に示す斜視図である。
【００３３】
図５及び図６に示される様に、屋根部材Ａの土台部分乃至は基礎部分を成す骨組部材として、全体形状として角形状の枠を成す、２本の横バー３及び２本の横バー３の各々にそれぞれが直交結合された２本の縦バー４が、設けられている。そして、上記角形状の枠の内で長手方向（縦方向）Ｘに沿って延在する短手方向（横方向）Ｙ側の両端を成す２本の縦バー４の各々の側面には、互いに離間された凸曲状のアーチ型のアーチバー５が結合・配設されている。そして、２本のアーチバー５間に、図１及び図３に関して既述した、各々がアーチバー５に並設して凸曲状のアーチ型に撓まれた少なくとも２本のバー１が配設されている。更に、図２及び図４で既述した少なくとも１枚のフィルム２の第１突起部２ＰＡ及び第２突起部２ＰＢが、それぞれ、隣り合う２本のバー１の各々の第２溝部１ＲＢ及び第１溝部１ＲＡに着脱自在に嵌め込まれている。このフィルム２の配設により、隣り合う２本のバー１間の上方は当該フィルム２により被覆される。この場合、各アーチバー５の上面上に、バー１と同様な構成を有するバー（図示せず。）を設けて、図４に示した様に、当該バーの第１溝部に両端部分に於ける各フィルム２の第１突起部２ＰＡを着脱自在に嵌め込んで、各端部分のフィルム２を、対応するアーチバー５と隣り合うバー１との間に配設することとしても良い。又は、各アーチバー５に隣接したバー１を設けて、図４に示す様に、各端部分のフィルム２を対応する各端のバー１に配設することとしても良い。何れの構成によっても、図６に例示される様に、対向するアーチバー５間の空間部分は、複数のフィルム２と２本以上の複数のバー１とで被覆されることとなる。
【００３４】
尚、図５の構成に於いては、離間したアーチバー５間に、２本のバー１が、それぞれ、横バー３の上面３ＵＳ上に取り付けられているが、アーチバー５間に位置するバー１の本数は、３本でも良いし、又は、４本以上であっても良い。又、変形例として、複数のアーチバー５を短手方向（横方向）Ｙに沿って並設させた状態にて横バー３に固設した上で、各アーチバー５の上面上にバー１を固設して、バー１を補強することとしても良い（図示せず。）。
【００３５】
又、各アーチバー５は、対応する縦バー４の上面上に立設されている２本の支持棒７の頂部及び各支持棒７の柱面に固設されている支持板６の上縁部に、当該縦バー４の上方位置に於いて、固着されて支持されている。ここで、支持板６は、アーチバー５を閉蓋することが出来る板であって、例えば、合成樹脂材、金属材又は木材等より成る。本例では、支持板６はアーチバー５と別体とされているが、その変形例として、支持板６をアーチバー５と同一部材で以って一体化して、当該一体化物の上縁部の形状を凸曲状にするならば、縦バー４をアーチバー５及び支持板６と兼用することが出来る。
【００３６】
更に、短手方向（横方向）Ｙに延在する複数本の中間バー３Ａが、横バー３と並設された状態で、離間されたアーチバー５に固設されている。これらの中間バー３Ａは、各バー１と交差する部分に於いて各バー１を支持して、各バー１のアーチ型の凸曲形状を保持させている。この場合、各中間バー３Ａの両端は対応するアーチバー５の側面に固着されるが、その構成に代えて、支持板６とアーチバー５との境界位置に中間バー３Ａを取り付けるための複数の開孔を形成しておき、当該各開孔に対応する中間バー３Ａを挿入して当該中間バー３Ａをアーチバー５と支持板６との境界部に取り付けることとしても良い。
【００３７】
又、縦バー４の長さ及び短手方向（横方向）Ｙに関して離間したアーチバー５の間隔は、本植物育成用組立ハウスのスペースを形成するものである。
【００３８】
この様にして形成される屋根部材Ａの下方部には、図７に例示される様に、結合具１００を介して、後述する壁部材Ｂが固設される。
【００３９】
＜壁部材Ｂの構成＞
次に、図６、図７及び図８を参照しつつ、壁部材Ｂの構成について記載する。ここで、図８は、本植物育成用組立ハウスの壁部材Ｂの正面側に配設されるレールＲＡ上を開閉自在にＸ方向に移動可能な扉の構成を模式的に示す斜視図である。図８に於いて、参照符号ＷＨは、レールＲＡ上に載置された扉用の車輪である。
【００４０】
壁部材Ｂは、屋根部材Ａの２本の横バー３及び２本の縦バー４の各々の長さ寸法に対応した大きさの開口部が上方に形成されて成る箱形状を有している。壁部材Ｂの高さは、本植物育成用組立ハウスの利用者が出入り可能な高さである。そして、壁部材Ｂの正面側の出入り口部材Ｃには、人が出入り可能となる様に開閉自在にレールに沿ってＸ方向に移動可能な扉が、配設されている。この扉は、それぞれ２個の車輪ＷＨを介してレールＲＡに沿ってＸ方向へ移動可能な２枚の戸板１２を有する。尚、２個の車輪ＷＨを設けずに、各戸板１２の底部をＸ方向へレールＲＡ上を摺動させることで、２枚の戸板１２を開閉自在な扉として構成しても良い。
【００４１】
図６に於いて、壁部材Ｂの要部の一つとして、その正面側の出入り口部材Ｃには、２枚の壁板１１及び上記の扉を成す２枚の戸板１２が配設されており、壁部材Ｂの底部自体は、地面留め具２００によって、地面ＧＲに直接に固設されている。この壁部材Ｂは、既述の構造を有する屋根部材Ａの直下に位置する部材であり、横バー３の長さに対応する長さを有する横枠８と、縦バー４の対応する長さを有すると共に横枠８と直交結合した縦枠９とが、平面視に於いて矩形状の枠を成す上記底部を構成している。そして、当該底部の枠が地面ＧＲに設置された上で、その後、上記の留め具２００によって地面ＧＲに固定される。この底部が地面ＧＲに固設された状態に於いて、横枠８及び縦枠９の各々の上面上に、複数本の柱１０が、所定の間隔を置いて、離間されつつ立設されている。この柱１０の立設により、上方向が開口された箱形状の壁部材Ｂの骨組部材が得られる。
【００４２】
次に、複数本の柱１０間に壁板１１及び戸板１２が挿入され、これにより、壁板１１及び戸板１２が横枠８と縦枠９とから成る枠に立設されて成る、壁部材Ｂが得られる。この場合に、変形例として、柱１０の側壁に凹溝を設け、壁板１１の側壁にガイド突起を設けて、壁板１１の上記ガイド突起を柱１０の凹溝内に嵌合することで、各壁板１１を枠に固設することとしても良い（図示せず。）。尚、柱１０の数は任意であり、その本数は、植物育成として利用する状況に応じて自由に設定されれば良い。又、変形例として、上方向が開口された箱状態の壁部材Ｂに壁板１１及び戸板１２を取り付けた後に、その上端面に横枠８及び縦枠９を取り付けることとしても良い（図示せず。）。
【００４３】
又、壁板１１の一部又は全部に、金網状の網板を用いていても良い。この場合には、壁部材Ｂの壁板１１を介した通風により、本植物育成用組立ハウス内の換気を行うことが出来る。この場合に、網板の壁板に対しては、その前方に着脱自在な雨戸を設けることとしても良い。
【００４４】
図９は、図３に示される横バー３及び中間バー３Ａの全て又は任意の物の内部に配設・収納される筒状のパイプ部１３９Ｂの構成を、一部を縦断面構造として示す斜視図である。尚、必ずしもパイプ部１３を設ける必要性は無く、本植物育成用組立ハウスの任意の構成要素である。この場合、パイプ部１３の一端側の入り口部は、本植物育成用組立ハウスの外部の施設（電気配線部、給水用ホース或いは供給ガス用配管等。）に接続されており（図示せず。）。パイプ部１３の他端側の出口部は、本植物育成用組立ハウス内の施設（ＬＥＤ照明器具、給水シャワー或いはガス排出管等。）に接続されている（図示せず。）。図９に於いては、パイプ部１３は、空洞の縦断面形状が円形の円筒形状を有しているが、形状は任意である。例えば、パイプ部１３の形状は、その空洞の縦断面形状が４角形の角筒形状であっても良い。このパイプ部１３は、照明等の電気配線系統、給水路、排水路又は炭酸ガス或いはエチレンガスの流路として利用される。特に、エチレンガスは、リンゴ、バナナ等の果物又はキュウリ等の野菜に甘味を出させる促進作用を有するガスである。又、炭酸ガスは、植物の育成に際して熟成を促進させる作用を呈するので、植物の茎が熟成する前の段階で炭酸ガスをエチレンガスに含ませてパイプ部１３内を流すという利用方法がある。例えば、パイプ部１３を介して炭酸ガスを組立ハウス内に導入することで、菜種の成長を遅らせることが出来る。この様に、給水による組立ハウス内の温度・湿度の管理・制御又は供給ガスによる植物の成長時期の管理・制御により、高品質の植物をそれぞれの出荷時期に応じて育成することが可能となる。
【００４５】
＜本植物育成用組立ハウスの形成方法＞
【００４６】
屋根部材Ａと壁部材Ｂとの組立手順としては、先ず、壁部材Ｂの横枠８と縦枠９とから成る枠を地面ＧＲ上に設置して当該枠を留め具２００で地面ＧＲに固定し、柱１０、壁板１１及び戸板１２を順次に当該枠に取り付けて、上方が開口された箱型の壁部材Ｂを組み立てる。
【００４７】
次に、予め組み立てられた屋根部材Ａの骨組部材（フィルム２が配設されていない状態での屋根部材Ａに該当。）を壁部材Ｂの上面上に重ねて、結合具１００により屋根部材Ａと壁部材Ｂとを固設する。その後、図４で既述した方法に基づいて、各フィルム２の突起部２Ｐを屋根部材Ａのバー１の溝部１Ｒに着脱自在に遊嵌して、各フィルム２及び隣り合うフィルム２間に位置する各バー１の凹部１ＣＰにより、屋根部材Ａの骨組部材を被覆する。これにより、例えば、図１０に示される植物育成用組立ハウスが完成される。
【００４８】
或いは、予めフィルム２が配設された、それ自体完成された構造の屋根部材Ａを別途に準備しておいて、組み立てられた壁部材Ｂに対して当該屋根部材Ａを結合具１００により固設することとしても良い。
【００４９】
＜本植物育成用組立ハウスの利点＞
１）屋根部材Ａの各フィルム２は着脱自在に隣り合うバー１に取り付けられているので、台風等の嵐による強風によりフィルム２が破損し又は飛ばされてしまった場合でも、その部分のフィルム２を簡単且つ短時間で新たなフィルム２に交換・配設することが出来る。その点で、作業の効率化の増大を図って、植物育成用組立ハウスの維持・管理費用の低減化を図ることが出来る。
【００５０】
２）屋根部材Ａの各フィルム２は着脱自在に隣り合うバー１に取り付けられているので、一部のフィルム２を簡単且つ短時間で取り外して、当該屋根部分より通風により植物育成用組立ハウス内の換気を行うことが出来、換気終了後には、簡単且つ短時間で、取り外したフィルム２を元の場所に配設し直すことが出来る。又、壁部材の壁板の一部又は全部を金網の網板とすることで、壁部材の側面側より植物育成用組立ハウス内の換気を行うことが出来る。
【００５１】
３）レールに沿って開閉自在に移動し得る扉を設けているので、植物育成用組立ハウス内への出入りが容易である。
【００５２】
４）既述の横バー３及び／又は中間バー３Ａの内部に配設された筒状のパイプ１３を、組立ハウス内で高品質な植物を育成するための種々の手段を適用する部分として利用することが可能である。例えば、組立ハウス内のＬＥＤ等の照明施設を電気的に制御するための電気配線を当該パイプ１３内に設けて、当該電気配線を組立ハウスの外部の電気配線と結線させるという適用がある。或いは、組立ハウス内の温度及び／又は湿度を制御するために霧状等の水を当該組立ハウス内に散水するための当該組立ハウス内に配設された散水施設（シャワー）に外部から供給すべき水の流路として、当該パイプ１３を利用することが出来る。或いは、植物の生長を促進又は送らせ得るガスを外部から組立ハウス内に供給する際の当該ガスの流路として、当該パイプ１３を利用することが出来る。
【００５３】
（変形例）
１）実施の形態１では、各植物育成用組立ハウスを、平面視に於いて横一列に並設させる場合が記載されたが、本発明に係る屋根部材を用いるならば、平面視に於いて各植物育成用組立ハウスをＬ字型となる様に並設させることも可能である。このＬ字型並設の場合に於いても、各フィルム２を対応するバー１より容易に着脱して交換し又は通気することが出来る。
【００５４】
２）又、各バー１の横バー３への配設としては、実施の形態１で既述したタップ雄（タップ受け溝部）とタップ雌（タップ突出部）との結合による取付け方法の他に、固着剤乃至は接着剤で以ってバー１の一端部１ＥＳ及び他端部の各々を横バー３の上面３ＵＳに固着することでバー１を横バー３に固設することとしても良い。或いは、タップ受け溝部及びタップ突出部の変形例として、図１１（ａ）に示される様に、各バー１の一端部１ＥＡの内で、表面１ＵＳに対向する裏面乃至は下面１ＬＳ寄り側部分に、タップ受け溝部１ＲＣ，１ＲＤを設けて、横バー３の上面３ＵＳに設けられたタップ突起部（図示せず。）を対応するタップ受け溝部１ＲＣ，１ＲＤに嵌合させることとしても良い。その場合に、更なる変形例として、図１１（ｂ）に示される様な構造の両端側のバーを採用しても良い。即ち、各バー１の内で両端各側に配設されるバー１の側面部に、その長手方向に沿って補足部１Ｓを固設し、当該バー１の一端部１ＥＡと同一面を成す補足部１Ｓの一端部の面の内で、壁部材Ｂの柱１０の頂部に面することとなる部分に、柱１０の頂部より突出したタップ突起部分（図示せず。）を嵌合させるためのタップ受け溝部１ＲＥ，１ＲＦが設けられる。
【００５５】
３）図１２に示す様に、植物育成用組立ハウス内の中央部に、底部が地面に接し且つその頂部３０ＴＢが屋根部材を支える主柱３０を配設しても良い。この様な主柱３０は、屋根部材上に雪が積もっても、当該積雪によって重力が加わる屋根部材の耐久性を補強することが出来る。しかも、主柱３０の回転による上下方向の長さ調整により、積雪を考慮して、屋根部材の張り具合・高さ調整を行うことが出来る。更に、図１２に示す様に、植物育成用組立ハウスの中央部に、排水Ｕ字溝２０を設けることも可能である。
【００５６】
又、屋根部材の各バーの凸曲状はアーチ型形状である必要性はなく、非対称の凸状の曲形状でも良い。例えば、図１２に示される様な形状より成る凸曲状を、各バーは有していてもよい。この場合のバー乃至はフィルムの凸曲状は、その一端側部分が偏在的に突出しており、当該一端側突出部分から他端側へ向けて滑らかに下降傾斜する形状である。この様な形状であるため、屋根部材に吹き付けられる風は、フィルム表面上を、その相対的に高い一端側突出部分から、相対的に低くなった他端部側へ向けて、即ち、植物育成用組立ハウス内の中央部側へ向けて、流れることとなる。その様な風の流れにより、屋根部材のフィルムがフィルムに吹き付けられる強風によって引っ張り上げられる状態（吹上状態）が、効果的に防止され得る。
【００５７】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００５８】
この発明は、壁部材と屋根部材とを有する植物育成用組立ハウス（温室等）に適用して好適である。
【符号の説明】
【００５９】
１    バー
１Ｒ  溝部
２    フィルム
２Ｐ  突起部
３    横バー
３Ａ  中間バー
４    縦バー
５    アーチバー
６    支持板
７    支持棒
８    横枠
９    縦枠
１０  柱
１１  壁板
１２  戸板
１３  パイプ部
ＲＡ  レール
ＷＨ  車輪
Ａ    屋根部材
Ｂ    壁部材
Ｃ    出入口部材（扉）
【要約】
【課題】台風による強風等により植物育成用組立ハウスの屋根部材のフィルムが破損・損失状態となっても、簡単かつ短時間で、新たな屋根部材のフィルムを復元可能とする。
【解決手段】短手方向Ｙに並設された各バー１の一端部１ＥＡ及び他端部は、屋根部材の対向する各横バーの上面上に固設されて、可撓性の各バー１はアーチ型の凸曲状を成す。各バー１は対向しつつ長手方向Ｘに延在する溝部１Ｒを有している。屋根部材の骨組部材の空間を被覆する各フィルム２は、その裏面２ＬＳの両端近傍部上に、長手方向Ｘに延在する一対の突起部２Ｐを有する。突起部２Ｐの形状は溝部１Ｒの内面構造に対応している。各フィルム２の突起部２Ｐが隣り合うバー１の対応する溝部１Ｒ内に着脱自在に嵌め込まれることで、各フィルム２は隣り合うバー１に固設されて上方を被覆する。
【選択図】図４【図１】
0005897675.tif 000002
【図２】
0005897675.tif 000003
【図３】
0005897675.tif 000004
【図４】
0005897675.tif 000005
【図５】
0005897675.tif 000006
【図６】
0005897675.tif 000007
【図７】
0005897675.tif 000008
【図８】
0005897675.tif 000009
【図９】
0005897675.tif 000010
【図１０】
0005897675.tif 000011
【図１１】
0005897675.tif 000012
【図１２】
0005897675.tif 000013